(57)【要約】      （修正有）【課題】組み立て性を向上させた光源モジュール及び照明器具を提供する。【解決手段】支持体２１と、基板２５と、光源２６と、カバー２２とを備えた光源モジュールである。基板２５は、支持体２１に支持される。光源２６は、基板２５に設けられる。カバー２２は、内部に空間を有し、前記空間に向けて光源２６の光が出射されるように、支持体２１と固定される。カバー２２は、前記空間方向に段差状に形成された載置部２２ａを有する。基板２５は、その少なくとも一部が載置部２２ａの段差部分に収容されているとともに、載置部２２ａと支持体２１との間に挟み込まれている。【選択図】図５
2016181402.tif 000002
【特許請求の範囲】
【請求項１】
支持体と；
前記支持体に支持される基板と；
前記基板に設けられた光源と；
内部に空間を有し、前記空間に向けて前記光源の光が出射されるように、前記支持体と固定されるカバーと；
を備え、
前記カバーは、前記空間方向に段差状に形成された載置部を有しており、
前記基板は、その少なくとも一部が前記載置部の段差部分に収容されているとともに、前記載置部と前記支持体との間に挟み込まれている光源モジュール。
【請求項２】
前記載置部は前記基板の長手方向に沿って設けられている請求項１記載の光源モジュール。
【請求項３】
前記支持体は、両端に湾曲部を有し、
前記カバーは、前記載置部に連結して前記湾曲部に接触する屈曲部を有し、
屈曲部間の幅は、湾曲部間の幅より小さく、
前記載置部は、前記基板を押圧固定している請求項１または２に記載の光源モジュール。
【請求項４】
前記湾曲部は前記屈曲部間の幅を広げるように前記カバーに取り付けられ、前記載置部は前記支持体の方向に向かう力により前記基板と接触している請求項３記載の光源モジュール。
【請求項５】
請求項１から４のいずれか１つに記載の光源モジュールと；
前記光源モジュールを取り付ける器具本体と；
を備えた照明器具。
【発明の詳細な説明】
【技術分野】
【０００１】
本発明の実施形態は、光源モジュール及び照明器具に関する。
【背景技術】
【０００２】
天井に取り付けられて室内を照明する照明器具がある。照明器具は、光源モジュールと、この光源モジュールを収容する器具本体と、を有する。光源モジュールは、金具等を用いて器具本体に着脱自在に取り付けられる。このような照明器具において、組み立て性の向上が望まれる。
【先行技術文献】
【特許文献】
【０００３】
【特許文献１】特開２０１４−７８４２６号公報
【発明の概要】
【発明が解決しようとする課題】
【０００４】
本発明の実施形態は、組み立て性を向上させた光源モジュール及び照明器具を提供する。
【課題を解決するための手段】
【０００５】
本発明の実施形態によれば、支持体と、基板と、光源と、カバーとを備えた光源モジュールが提供される。前記基板は、前記支持体に支持される。前記光源は、前記基板に設けられる。前記カバーは、内部に空間を有し、前記空間に向けて前記光源の光が出射されるように、前記支持体と固定される。前記カバーは、前記空間方向に段差状に形成された載置部を有する。前記基板は、その少なくとも一部が前記載置部の段差部分に収容されているとともに、前記載置部と前記支持体との間に挟み込まれている。
【発明の効果】
【０００６】
本発明の実施形態によれば、組み立て性を向上させた光源モジュール及び照明器具を提供することができる。
【図面の簡単な説明】
【０００７】
【図１】本実施形態の照明器具の斜視図である。
【図２】本実施形態の照明器具の一部の斜視図である。
【図３】図３（ａ）及び図３（ｂ）は、本実施形態の照明器具の一部の斜視図である。
【図４】本実施形態の照明器具の一部の分解斜視図である。
【図５】本実施形態の照明器具の一部を示す図である。
【図６】本実施形態の照明器具の一部の分解図である。
【図７】本実施形態の別の照明器具の一部を示す図である。
【図８】本実施形態の別の照明器具の一部の分解図である。
【図９】照明器具の内部を説明する図である。
【図１０】図１０（ａ）〜図１０（ｃ）は、光源モジュールと器具本体との取り付けを説明する図である。
【発明を実施するための形態】
【０００８】
実施形態に係る発明は、支持体と；前記支持体に支持される基板と；前記基板に設けられた光源と；内部に空間を有し、前記空間に向けて前記光源の光が出射されるように、前記支持体と固定されるカバーと；を備え、前記カバーは、前記空間方向に段差状に形成された載置部を有しており、前記基板は、その少なくとも一部が前記載置部の段差部分に収容されているとともに、前記載置部と前記支持体との間に挟み込まれている光源モジュールである。
【０００９】
また、前記載置部は前記基板の長手方向に沿って設けられている光源モジュールである。
【００１０】
また、前記支持体は、両端に湾曲部を有し、前記カバーは、前記載置部に連結して前記湾曲部に接触する屈曲部を有し、前記屈曲部間の幅は、前記湾曲部間の幅より小さく、前記載置部は、前記基板を押圧固定している光源モジュールである。
【００１１】
また、前記湾曲部は前記屈曲部間の幅を広げるように前記カバーに取り付けられ、前記載置部は前記支持体の方向に向かう力により前記基板と接触している光源モジュールである。
【００１２】
実施形態に係る発明は、請求項１から４のいずれか１つに記載の光源モジュールと；前記光源モジュールを取り付ける器具本体と；を備えた照明器具である。
【００１３】
以下に、本発明の各実施の形態について図面を参照しつつ説明する。  
なお、図面は模式的または概念的なものであり、各部分の厚みと幅との関係、部分間の大きさの比率などは、必ずしも現実のものと同一とは限らない。また、同じ部分を表す場合であっても、図面により互いの寸法や比率が異なって表される場合もある。  
なお、本願明細書と各図において、既出の図に関して前述したものと同様の要素には同一の符号を付して詳細な説明は適宜省略する。
【００１４】
（本実施形態）
図１は、本実施形態の照明器具の斜視図である。
図２は、本実施形態の照明器具の一部の斜視図である。
図３（ａ）及び図３（ｂ）は、本実施形態の照明器具の一部の斜視図である。
図４は、本実施形態の照明器具の一部の分解斜視図である。
図５は、本実施形態の照明器具の一部を示す図である。
図６は、本実施形態の照明器具の一部の分解図である。
図７は、本実施形態の別の照明器具の一部を示す図である。
図８は、本実施形態の別の照明器具の一部の分解図である。
【００１５】
図２は、器具本体１０を取り外した状態を示している。図３（ａ）及び図３（ｂ）は、光源モジュール２０を取り外した状態を示している。図４は、図３（ａ）の光源モジュール２０の分解斜視図である。図５及び図７は、光源モジュール２０の側面図である。図６及び図８は、光源モジュール２０において、支持体２１とカバー２２との間で基板２５を固定することを示している。
【００１６】
図１に表すように、照明器具１００は、器具本体１０と、光源モジュール２０と、を備える。照明器具１００は、光源モジュール２０を下方に向けた状態で室内の天井面に取り付けられる。器具本体１０がネジ等によって天井面に取り付けられる。器具本体１０は、光源モジュール２０の支持に用いられるとともに、天井などの取付対象への照明器具１００の取り付けに用いられる。照明器具１００は、室内に光を照射する。なお、照明器具１００は、天井面に限ることなく、例えば、壁面などに取り付けても良い。また、複数の照明器具１００を連結させても良い。
【００１７】
図２に表すように、器具本体１０は、筐体１１と、取付金具１４と、電源回路１５と、端子台１６と、を備える。また、筐体１１は、反射板１２と、端板１３と、を備える。
【００１８】
筐体１１は、光源モジュール２０の一部を収容するための凹部１１ａを有する。また、筐体１１には、照明器具１００を天井面などに取り付けるための金具（例えば、ネジ）や電源回路１５に電力を供給する電源ケーブルなどを通すための複数の開口が設けられる。
【００１９】
筐体１１には、鉄、アルミニウム、または、ステンレスなどの金属材料が用いられる。筐体１１に金属材料を用いることにより、器具本体１０の耐久性を高めることができる。筐体１１には、樹脂材料を用いても良い。
【００２０】
反射板１２は、光源モジュール２０内の光源２６から照射された光を反射する。反射板１２によって反射された光は、照明器具１００の下方に向かう。
端板１３は、反射板１２の長手方向の両端に設けられている。筐体１１の凹部１１ａは、反射板１２及び端板１３に囲まれた部分である。
【００２１】
取付金具１４は、ネジ止めなどにより、筐体１１の凹部１１ａ内に取り付けられる。取付金具１４は、光源モジュール２０の保持部材２３に設けられた弾性体３０と掛止し、筐体１１の凹部１１ａから抜ける方向への移動を規制する。取付金具１４には、筐体１１と同様の金属材料が用いられる。器具本体１０には、保持部材２３に対応して複数の取付金具１４が設けられる。この例では、２つの取付金具１４が設けられる。取付金具１４の数は、任意で良い。取付金具１４の数は、１つでも良いし、３つ以上でも良い。
【００２２】
電源回路１５は、外部から供給される電力を光源モジュール２０に対応した電圧または電流に変換して、光源モジュール２０に供給する。光源モジュール２０は、電源回路１５からの電力供給に応じて光源２６を点灯させ、光を照射する。電源回路１５は、照明器具１００とは別に設けても良い。
【００２３】
端子台１６は、外部の電源と電源回路１５との間の電気的な接続や、電源回路１５と各光源２６との間の電気的な接続に用いられる。電源回路１５及び端子台１６は、ネジ止めなどにより、筐体１１の凹部１１ａ内に取り付けられる。
【００２４】
図３及び図４に表すように、光源モジュール２０は、支持体２１と、カバー２２と、保持部材２３と、側板２４と、基板２５と、光源２６と、を備える。支持体２１は、第１面２１ａと、第１面２１ａと反対側の第２面２１ｂと、を有する。基板２５は、第１面２５ａと、第１面２５ａと反対側の第２面２５ｂと、を有する。
【００２５】
支持体２１は、光源２６が設けられた基板２５を支持する。支持体２１は、例えば、シャーシである。支持体２１の第１面２１ａと、基板２５の第２面２５ｂと、が対向するように、支持体２１は、基板２５を支持する。側板２４の取り付け方向から見た支持体２１の形状は、略Ｕ字状である。
【００２６】
カバー２２は、支持体２１に固定するように取り付けられ、内部空間に基板２５に設けられた光源２６の光が出射されるように、支持体２１上の光源２６を覆う。カバー２２は、外力や塵埃などから光源２６を保護する。カバー２２は、光透過性を有する。カバー２２は、光源２６の放出する光に対して光透過性である。カバー２２は、例えば乳白色で光拡散性を有する。カバー２２は、透明であっても良い。カバー２２には、光透過性の樹脂材料が用いられる。例えば、ポリカーボネート（ＰＣ）樹脂、ポリブチレンテレフタレート（ＰＢＴ）樹脂、または、ポリアミド（ＰＡ）樹脂等を用いて形成される。配光を調整するために、一部を不透過に構成しても良い。
【００２７】
保持部材２３は、カバー２２を支持体２１に保持する。つまり、保持部材２３は、カバー２２を支持体２１から外れないようにする。光源モジュール２０には、複数の保持部材２３が設けられる。複数の保持部材２３は、支持体２１の第２面２１ｂに設けられる。この例では、２つの保持部材２３が設けられる。保持部材２３の数は、任意で良い。保持部材２３の数は、１つでも良いし、３つ以上でも良い。
【００２８】
保持部材２３には、例えば、鉄、アルミニウム、または、ステンレスなどの金属材料が用いられる。保持部材２３には、例えば、樹脂材料などを用いてもよい。但し、保持部材２３には、上記のような金属材料を用いることが好ましい。これにより、例えば、保持部材２３の耐久性を向上させることができる。また、保持部材２３は、例えば、１枚の板材料から形成される。これにより、例えば、部品点数を削減することができる。例えば、光源モジュール２０のコストを抑えることができる。例えば、保持部材２３に樹脂材料を用いる場合、保持部材２３は、射出成形などによって形成された１つの部品であることが好ましい。
【００２９】
側板２４は、カバー２２の長手方向の両端に設けられている。側板２４の形状は、略扇形状である。
【００３０】
基板２５には、光源２６が設けられている。基板２５には、例えば、複数の光源２６が設けられる。各光源２６は、基板２５の第１面２５ａに並べて配置される。光源２６の数は、任意で良い。光源２６の数は、例えば、１つでも良い。
【００３１】
光源２６には、例えば、発光ダイオード（Light Emitting Diode：ＬＥＤ）が用いられる。光源２６は、有機発光ダイオード（Organic Light Emitting Diode：ＯＬＥＤ）、無機エレクトロルミネッセンス（Inorganic ElectroLuminescence）発光素子、有機エレクトロルミネッセンス（Organic ElectroLuminescence）発光素子、または、その他の電界発光型の発光素子などでも良い。光源２６は、電球などでも良い。
【００３２】
図５に表すように、カバー２２は、平坦状のベース部２２Ａと、湾曲状の曲部２２Ｂと、を有する。ベース部２２Ａ及び曲部２２Ｂの間には空間Ｓが形成されている。ベース部２２Ａの中央側は開口しており、その開口側には載置部２２ａが形成されている。載置部２２ａは、カバー２２の内部の空間Ｓに向かって屈曲するように段差状に形成されている。ベース部２２Ａ上であって、載置部２２ａ及び曲部２２Ｂの間には、空間Ｓに対して逆の方に向かって屈曲部２２ｂがベース部２２Ａに対して略垂直に延出している。
【００３３】
基板２５は、支持体２１とカバー２２との間に設けられる。基板２５は、支持体２１の第１面２１ａと、カバー２２の載置部２２ａと、によって挟み込むことで固定される。より望ましくは、基板２５が支持体２１の第１面２１ａと、カバー２２の載置部２２ａと、によって挟持された状態である。載置部２２ａは、基板２５の第１面２５ａの一部と接触するカバー２２の一部であって、光源モジュール２０の内部（例えば、光源２６が設けられた部分）に向かって延在する部分である。また、載置部２２ａは、例えば、基板２５の長手方向に沿って矩形状に設けられている。載置部２２ａは、基板２５の長手方向に連続的に形成されている場合に限らず、長手方向の数カ所に部分的に形成されていても良い。
【００３４】
載置部２２ａは、光源モジュール２０の内部に向かってカバー２２に段差を設けることで形成される。具体的には、載置部２２ａは、カバー２２の内部の空間Ｓに向かって屈曲するように段差状に形成されている。載置部２２ａは、その段差部分に基板２５の少なくとも一部を収容する。例えば、載置部２２ａは、基板２５の側面に対向するように収容する。この場合、基板２５の側面とは、基板２５の第１面２５ａ及び第２面２５ｂの間に設けられた面である。このような載置部２２ａによって、基板２５の第１面２５ａの一部が載置部２２ａに載置される場合、基板２５が横方向（例えば、支持体２１からカバー２２に向かう方向に垂直な方向）に動くことを抑制できる。これにより、基板２５は、支持体２１とカバー２２との間に安定して固定される。
【００３５】
図６に表すように、矢印の方向のように、基板２５を収容するように載置部２２ａに基板２５の第１面２５ａの一部を載置させ、支持体２１の第１面２１ａと基板２５の第２面２５ｂとを接触させる。これにより、基板２５は、支持体２１及びカバー２２によって挟み込まれ、支持体２１の湾曲部２１ｃがカバー２２の屈曲部２２ｂに固定されることで支持体２１とカバー２２との間に固定される。
【００３６】
図５及び図６に示すような載置部２２ａは、基板２５に対して固定するように設けられている。載置部２２ａは、基板２５に対して所定方向に可動するように設けられても良い。
【００３７】
例えば、図７に表すように、基板２５は、支持体２１とカバー２２との間に設けられている。カバー２２は載置部２２ａ１を有している。基板２５は、支持体２１の第１面２１ａと、カバー２２の載置部２２ａ１と、によって挟み込むことで固定される。載置部２２ａ１は、基板２５の第１面２５ａの一部と接触するカバー２２の一部であって、光源モジュール２０の内部（例えば、光源２６が設けられた部分）に向かって延在する部分である。また、載置部２２ａ１は、例えば、基板２５の長手方向に沿って矩形状に設けられている。載置部２２ａ１は、基板２５の長手方向の数カ所に部分的に形成されていても良い。
【００３８】
載置部２２ａ１は、光源モジュール２０の内部に向かってカバー２２に段差を設けることで形成される。具体的には、載置部２２ａ１は、カバー２２の内部の空間Ｓに向かって屈曲するように段差状に形成されている。載置部２２ａ１は、その段差部分に基板２５を収容する。例えば、載置部２２ａ１は、基板２５の側面に対向するように収容する。このような載置部２２ａ１によって、基板２５の第１面２５ａの一部が載置部２２ａ１に載置される場合、基板２５が横方向（例えば、支持体２１からカバー２２に向かう方向に垂直な方向）に動くことを抑制できる。これにより、基板２５は、支持体２１とカバー２２との間に安定して固定される。
【００３９】
図８に表すように、載置部２２ａ１は、カバー２２の内部の空間Ｓに向かって下側に傾斜するように設けられている。また、カバー２２は、開口２２ｏを有するようにカバー２２の両端近傍に屈曲部２２ｂを有する。支持体２１は、開口２１ｏを有するようにその両端に湾曲部２１ｃを有する。カバー２２の屈曲部２２ｂ間の幅Ｗ１は、支持体２１の湾曲部２１ｃ間の幅Ｗ２より小さい。つまり、開口２２ｏは開口２１ｏより小さい。
【００４０】
図８の矢印の方向のように、基板２５を収容するように載置部２２ａ１に基板２５の第１面２５ａの一部を載置させ、支持体２１の第１面２１ａと、載置部２２ａ１と、によって基板２５を挟み込むように下向きに力を加える。下向きの力を加えると、図７のように屈曲部２２ｂ及び湾曲部２１ｃが当接して屈曲部２２ｂが外側に動いて固定される。カバー２２の屈曲部２２ｂ間の幅Ｗ１は、支持体２１の湾曲部２１ｃ間の幅Ｗ２より小さいので、湾曲部２１ｃが屈曲部２２ｂを外側に押し込む力が屈曲部２２ｂに加わることで屈曲部２２ｂが外側に動いて固定される。湾曲部２１ｃは、屈曲部２２ｂ間の幅Ｗ１を広げるようにカバー２２に取り付けられる。
【００４１】
また、屈曲部２２ｂ及び湾曲部２１ｃが当接して屈曲部２２ｂが外側に動くと、図７のように、屈曲部２２ｂに連結している載置部２２ａ１は、基板２５に対して上向き（基板２５から支持体２１に向かう方向）に動いて固定される。つまり、載置部２２ａ１は、支持体２１の方向に向かう力によって基板２５に接触し、基板２５を押圧固定する。基板２５が、支持体２１及びカバー２２によって挟み込まれ、支持体２１とカバー２２との間に固定されると、下側に傾斜していた載置部２２ａ１は、基板２５に対して略平行になる。このように、支持体２１とカバー２２との間に基板２５を設けると、カバー２２の加工のばらつきによる載置部２２ａ１の垂れ下がりを、支持体２１の取付け時にカバー２２を押し広げることで相殺することができる。
【００４２】
本実施形態の照明器具１００において、カバー２２に、支持体２１との間で基板２５を挟み込む載置部２２ａが設けられている。このような載置部２２ａを設けると、支持体２１とカバー２２との間に基板２５を安定して固定することができる。また、支持体２１に基板２５を取り付けることなく、支持体２１とカバー２２との間に基板２５を固定することができるので、係止爪等を用いて支持体２１に基板２５を取り付ける工程を設ける必要がなくなる。これにより、照明器具１００の製造工程を減らすことができ、照明器具１００の組み立て性を向上させることができる。
【００４３】
また、基板２５に対して所定方向に可動する載置部２２ａ１を設ける場合、載置部２２ａ１の垂れ下がりを抑制し、支持体２１とカバー２２との間に基板２５を安定して固定することができる。
【００４４】
なお、図７、図８は極端な例であり、例えば、屈曲部２２ｂ間の幅Ｗ１が湾曲部２１ｃ間の幅Ｗ２より小さく形成され、支持体２１とカバー２２を固定する際に、屈曲部２２ｂによって湾曲部２１ｃの幅が広げられ、その結果、載置部２２ａ１に支持体２１の方向に向かう力が発生することにより、基板２５を押圧固定可能な形状であれば、支持体２１の形状及びカバー２２の形状は、任意の形状を有することができる。すなわち、図５及び図６のような、通常の支持体２１の形状及びカバー２２の形状であっても、支持体２１にカバー２２を取付けることで、載置部２２ａに所定方向の力が生じるような構造・寸法であっても構わない。
【００４５】
以下、本実施形態の照明器具１００における光源モジュール２０と器具本体１０との取り付けを説明する。
【００４６】
図９は、照明器具の内部を説明する図である。
図１０（ａ）〜図１０（ｃ）は、光源モジュールと器具本体との取り付けを説明する図である。
【００４７】
図９は、端板１３側からみた照明器具１００の内部であって、器具本体１０の取付金具１４が光源モジュール２０の保持部材２３に弾性体３０によって取り付けられている状態を示している。なお、図１０（ａ）〜図１０（ｃ）において、取付金具１４を固定する反射板１２を図示していない。
【００４８】
図９に表すように、反射板１２は、例えば、一枚の板金から形成されている。反射板１２は、複数の屈曲部１２ｆを有する。凹部１１ａは、複数の屈曲部１２ｆの一部によって形成される。また、取付金具１４は、ネジ等を用いて反射板１２に固定される。
【００４９】
保持部材２３は、その両端において、支持体２１と、カバー２２と、を挟んで把持する。また、保持部材２３の中央には、トーションバネ等の弾性体３０が設けられている。弾性体３０が取付金具１４の一部（掛止部１４ａ）に掛止されることで取付金具１４が保持部材２３に取り付けられる。これにより、光源モジュール２０が器具本体１０に取り付けられる。
【００５０】
図１０（ａ）に表すように、弾性体３０の先端部分３０ａが取付金具１４の掛止部１４ａに掛止されて固定される。光源モジュール２０が器具本体１０に対して仮吊りの状態となる。仮吊りの状態において、器具本体１０内の配線作業等が行われる。仮吊りの状態から光源モジュール２０に上方向（矢印方向）の力を加えて押し上げる。
【００５１】
図１０（ｂ）に表すように、仮吊りの状態から光源モジュール２０に上方向（矢印方向）の力を加えて押し上げると、弾性体３０の挿通部分３０ｂは、取付金具１４の孔１４ｏに入り込む。つまり、弾性体３０は、取付金具１４に挿入される。挿通部分３０ｂは、例えば、湾曲形状を有する。
【００５２】
図１０（ｃ）に表すように、図１０（ｂ）の状態から光源モジュール２０に上方向の力をさらに加えて押し上げると、挿通部分３０ｂが孔１４ｏに入り込み、弾性体３０の当接部分３０ｃが掛止部１４ａに掛止される。光源モジュール２０が器具本体１０に向かって吸い上がることで、光源モジュール２０は器具本体１０に取り付けられて固定される。
【００５３】
本実施形態によれば、組み立て性を向上させた光源モジュール及び照明器具が提供される。
【００５４】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５５】
１０…器具本体、  １１…筐体、  １１ａ…凹部、  １２…反射板、  １２ｆ…屈曲部、  １３…端板、  １４…取付金具、  １４ａ…掛止部、  １４ｏ…孔、  １５…電源回路、  １６…端子台、  ２０…光源モジュール、  ２１…支持体、  ２１ａ、２５ａ…第１面、  ２１ｂ、２５ｂ…第２面、  ２１ｃ…湾曲部、  ２１ｏ、２２ｏ…開口、  ２２…カバー、  ２２Ａ…ベース部、  ２２Ｂ…曲部、  ２２ａ、２２ａ１…載置部、  ２２ｂ…屈曲部、  ２３…保持部材、  ２４…側板、  ２５…基板、  ２６…光源、  ３０…弾性体、  ３０ａ…先端部分、  ３０ｂ…挿通部分、  ３０ｃ…当接部分、  １００…照明器具、  Ｗ１、Ｗ２…幅、  Ｓ…空間
【図１】
2016181402.tif 000003
【図２】
2016181402.tif 000004
【図３】
2016181402.tif 000005
【図４】
2016181402.tif 000006
【図５】
2016181402.tif 000007
【図６】
2016181402.tif 000008
【図７】
2016181402.tif 000009
【図８】
2016181402.tif 000010
【図９】
2016181402.tif 000011
【図１０】
2016181402.tif 000012